(57)【要約】【課題】  塗布終了後に、塗布ボールに付着した内容物を、塗布ボールとボール保持筒との間に貯溜することによって、保持筒上端に溜まる内容物を少なくし、保持筒上端からの液垂れを確実に防止するとともに、塗布開始時に塗布ボールを押当て転動させると同時に、塗布が始まり、空塗りをなくすようにした塗布容器を提供すること。【解決手段】  容器と、塗布ボールを保持する保持筒を具えた中栓と、キャップとからなる塗布容器であって、保持筒内周面下端部に、塗布ボール面と接合する上端面を有する突出リングを設け、該突出リングと、保持筒の内周面、塗布ボールとの間に液貯め部を形成させ、保持筒の内周面に溝を設けるとともに、保持筒上端を密封するようにしたことを特徴とする。【選択図】  図１
2005186997.tif 000002
【特許請求の範囲】
【請求項１】
容器と、塗布ボールを保持する保持筒を具えた中栓と、キャップとからなる塗布容器であって、
保持筒内周面下端部に、塗布ボール面と接合する上端面を有する突出リングを設け、
該突出リングと、保持筒の内周面、塗布ボールとの間に液貯め部を形成させ、
保持筒の内周面に溝を設けるとともに、保持筒上端を密封するようにしたことを特徴とする塗布容器。
【請求項２】
キャップの頂壁中央部に、ボール押えリングを垂設し、
頂壁周縁部に、中栓の保持筒上端を密封する中栓押えリングを設けたことを特徴とする請求項１記載の塗布容器。
【請求項３】
内容物として、制汗成分、殺菌成分、消臭成分から選ばれる１以上の成分を含む化粧料を用いることを特徴とする請求項１、２記載の塗布容器。
【発明の詳細な説明】
【技術分野】
【０００１】
本発明は、塗布容器、とくに塗布ボールを用いた塗布容器に関するものである。
【背景技術】
【０００２】
塗布ボールを用いた塗布容器において、キャップ閉蓋時に、塗布ボールの保持筒を締め付け、保持筒外に塗布ボールに付着した内容物が出ないようにした塗布容器は、従来より知られている（例えば、特許文献１、２参照）。
【０００３】
上記特許文献１記載の塗布容器は、外蓋（８）の内球体圧着部（６）と、球体保持部分圧着部（７）を設けて、外蓋（８）の閉蓋時に、中蓋（５）の保持部分を球方向に圧着させるようにしている。
【０００４】
しかし、外蓋（８）の開閉の都度、球体保持部分が圧着されるので、長く使用していると、保持部分が塑性変形し、球体（４）との接触に均一性を欠くようになるというおそれがあった。
そしてまた、球体（４）の上部に付着した内容物が、球体保持部分の上端を越えて溜められ、外蓋（８）を開いたときに、液垂れするという問題があった。
【０００５】
特許文献２記載の塗布容器は、塗布終了時に、環状弁（１５）により通孔（９）を閉じ、液の流出を遮断するとともに、蓋体（２１）を閉じたときに、蓋体のシール突起（２３）がボール保持筒（６）上端に圧接して内側を密封するようにしている。
【０００６】
しかし、ボール上端部に付着した内容物は、ボール保持筒（６）上端に溜められ、蓋体（２１）を開いたときに、ボール保持筒（６）外周に液垂れするおそれがあった。
また、環状弁（１５）の付勢に、スプリング条（１４）を使用しており、その構造は複雑であるという問題があった。
【特許文献１】実公昭３７−８２１８号公報
【特許文献２】実用新案登録第２６００７５４号公報
【発明の開示】
【発明が解決しようとする課題】
【０００７】
本発明は、上記問題を解決することを課題とし、塗布終了後に、塗布ボールに付着した内容物を、塗布ボールとボール保持筒との間に貯溜することによって、保持筒上端に溜まる内容物を少なくし、保持筒上端からの液垂れを確実に防止するとともに、塗布開始時に塗布ボールを押当て転動させると同時に、塗布が始まり、空塗りをなくすようにした塗布容器を提供することを目的とする。
【課題を解決するための手段】
【０００８】
本発明は、上記の課題を解決するため、塗布容器として、容器と、塗布ボールを保持する保持筒を具えた中栓と、キャップとからなる塗布容器であって、保持筒内周面下端部に、塗布ボール面と接合する上端面を有する突出リングを設け、該突出リングと、保持筒の内周面、塗布ボールとの間に液貯め部を形成させ、保持筒の内周面に溝を設けるとともに、保持筒上端を密封するようにしたことを特徴とする構成を採用する。
【０００９】
塗布容器の具体的な実施態様として、キャップの頂壁中央部に、ボール押えリングを垂設し、頂壁周縁部に、中栓の保持筒上端を密封する中栓押えリングを設けたことを特徴とする構成を採用する。
【００１０】
塗布容器の内容物として、制汗成分、殺菌成分、消臭成分から選ばれる１以上の成分を含む化粧料を用いることを特徴とする。
【発明の効果】
【００１１】
閉蓋時に、塗布ボールと保持筒内周面との間に、液貯め部を形成するようにしたから、塗布終了閉蓋時に、塗布ボールの先端部に付着していた内容物が貯溜され、保持筒上端に溜まる内容物を少なくすることができる。
さらに、中栓押えリングで、保持筒上端を密封するので、保持筒外周への液垂れを完全に防ぐことができる。
【００１２】
また、頂壁中央部に、ボール押えリングを設け、塗布ボールに付着した内容物をボール押えリング内に保持するようにしたから、保持筒上端に流れる塗布ボールに付着した内容物の量を少なくすることができる。
次の塗布にあたって、ボール押えリング内に保持した内容物を始めに使用することができ、次いで、液貯め部の内容物が使えるので、空塗りすることをなくし、塗布容器を効率よく使用することができる。
【発明を実施するための最良の形態】
【００１３】
次に、本発明の塗布容器について、図面を参照して説明する。
図１において、Ａは容器、Ｂは塗布ボールＣを保持した中栓、Ｄはキャップである。
容器Ａには、内容物として、液体、クリーム状液、粉体等の化粧料、或いは薬剤等が収納されている。
【００１４】
容器Ａは、口部１と胴部２、底部とからなり、口部１外周には、上端に嵌合突条３が設けられ、その下方にはねじ４が螺設されている。
【００１５】
図２に示すように、中栓Ｂは、容器口部１に取着するための嵌合筒部Ｂ１と、塗布ボールＣの保持部Ｂ２とからなり、嵌合筒部Ｂ１は、外筒５と内筒６、上壁７とから構成されている。
外筒５の内周上部には、口部１の嵌合突条３外周面に接圧される膨出部８が設けられ、内周下端には、嵌合突条３に係合する係合突条９が設けられている。
内筒６の外周は、口部１内周と係合し、容器Ａ内が密封される。
【００１６】
上壁７の上面には、塗布ボールＣを把持する保持筒１０が立設されている。
保持筒１０の内周面１１は、ほぼ球帯状となっており、内周面１１の下方には、突出リング１２が設けられている。
保持筒１０と突出リング１２によって、塗布ボールＣの保持部Ｂ２が構成されている。
【００１７】
保持筒１０の内周面１１には、その上端１３から下方に延び、突出リング１２の根本部近くに至る複数の溝１４が等間隔をおいて刻設されており、該溝１４は、内周面１１上端１３では広巾となっている。
溝１４の深さ、巾、本数は、内容物の種類、粘度等によって設定し、塗布量、液貯溜量を変えることができる。
【００１８】
突出リング１２の上端面１５は、塗布ボールＣと、閉蓋時にはシール状態で接合するようになっており、下側面は、傾斜面を介して内筒６の内周上端と接続し、容器Ａとの連通孔１６を形成している。
【００１９】
図３に示すように、塗布ボールＣは球体に成形され、容器Ａの正立時には、突出リング１２の上端面１５に保持され、上方の一定部分は、保持筒１０の上端１３より突出するようになっている。
その際、塗布ボールＣと、保持筒１０内周面１１との間には間隙が形成され、該間隙は、上方にいくにしたがって狭くなっており、間隙と下端の突出リング１２によって、液貯め部１７が形成されている。
【００２０】
塗布ボールＣは、容器Ａの倒立時には、保持筒１０上端１３内周に接合して上方への移動が阻止され、一定範囲で上下動されるようになっている。
【００２１】
キャップＤは、図１に示すように、頂壁２０と側周壁２１とからなり、頂壁２０の下面中央部には、ボール押えリング２２が垂設されており、頂壁２０周縁部近くの内側には垂直壁２３が形成され、垂直壁２３内周縁には中栓押えリング２４が垂設されている。
側周壁２１の内周には、容器口部１のねじ４に螺合するねじ２５が螺設されている。
【００２２】
次に、本発明塗布容器の使用態様と作用効果について説明する。
塗布容器の組立にあたって、容器Ａに内容物を入れ、容器口部１に塗布ボールＣを装着した中栓Ｂが打栓により取着され、その上からキャップＤが被蓋される。
その際、塗布ボールＣは、キャップＤのボール押えリング２２により押圧されて、中栓Ｂの突出リング１２に圧接され、容器Ａ内部が密封される。
また、中栓押えリング２４が、保持筒１０の上端１３面に圧接され、塗布ボールＣを保持した中栓Ｂ内と外気との連通が遮断される。
【００２３】
塗布にあたっては、図４に示すように、キャップＤを開蓋し、容器Ａを倒立させると、塗布ボールＣが移動し、内容物が連通孔１６を通じて、塗布ボールＣと突出リング１２の間から液貯め部１７に流入する。
次に、塗布ボールＣを被塗布面に押当て転動させると、塗布ボールＣと保持筒１０の上端１３との間に間隙が形成され、塗布ボールＣの回転により、内容物は、保持筒１０上端１３と塗布ボールＣの間より注出され、塗布ボールＣに付着され、被塗布面に貼着される。
【００２４】
塗布が終わったときには、図１に示すように、塗布容器を正立に戻してキャップＤを閉蓋する。
そのときには、ボール押えリング２２と、中栓押えリング２４がそれぞれ塗布ボールＣと保持筒１０に圧接され、塗布ボールＣと突出リング１２の上端面１５との間が密封される。
【００２５】
塗布ボールＣに付着していた内容物は、上部では、ボール押えリング２２によって密封保持される。
ボール押えリング２２と保持筒１０の上端１３との間に付着していた内容物は、塗布ボールＣを伝わって下方に流れ、保持筒１０の内周面１１と塗布ボールＣとの間に形成される液貯め部１７に溜められるが、ボール押えリング２２と保持筒１０の上端１３との間の距離は短いので、その間に付着している内容物は少ない。
また、内容物は、塗布ボールＣと保持筒１０の上端１３との間隙が少なくても、溝１４を通って流れ落ちるので効果的である。    
【００２６】
塗布容器が、閉蓋後に倒れたとき、或いは携帯中に倒立状態になったときには、液貯め部１７内の内容物が、保持筒１０の内周面１１上端１３と塗布ボールＣとの間隙、および溝１４から漏れるが、ボール押えリング２２と中栓押えリング２４、塗布ボールＣとによって形成される狭い空間内に拡散し、次に、正立状態にしたときには、内容物は、再び液貯め部１７に容易に戻される。
【００２７】
内容物は、容器Ａの正立時と倒立時には、保持筒１０の上端１３に止まることはなく、横倒しとなったときでも、液溜め部１７の内容物は少量で、中栓押えリング２４により保持筒１０の上端１３は密封されているので、保持筒１０外周に液垂れすることは完全に阻止される。
【００２８】
また、ボール押えリング２２により密封された塗布ボールＣ上面に付着された内容物は、次の開蓋まで付着されたままの状態が保たれ、次に塗布を始めるときには、塗布ボールＣ上面の内容物がそのまま塗布され、次いで、液貯め部１７の内容物が塗布ボールＣに付着し、塗布は開始時から滞りなく行われる。
【００２９】
塗布後に、キャップＤを閉蓋しておくと、中栓押えリング２４により中栓Ｂ内部と外気との連通を遮断するので、空気中の雑菌の侵入による内容物の変質や、乾燥による変質を防ぐことができる。
【実施例】
【００３０】
次に、本発明塗布容器で使用される化粧料として、制汗消臭剤を用いた実施例について説明する。
この化粧料は、表１に示す組成で薬剤が配合されている。
表中で、実施例１、２は、制汗成分と殺菌成分、消臭成分をすべて含み、比較例は、三成分の中で殺菌成分を欠除したものである。
【表１】
2005186997.tif 000003
【００３１】
実施例１、２の効果は、制汗効果とともに、防臭、消臭効果を有するもので、制汗消臭剤として好ましいものである。
これに対して、比較例は、制汗効果を有するのみであるが、制汗剤を配合した化粧料として有用である。
上記の実施例１、２、および比較例にあげた化粧料は、いずれも制汗剤を配合した化粧料であるが、内容物として、制汗剤に限らず、消臭剤のみ、または消臭剤と殺菌剤を配合した化粧料であってもよく、或いは、殺菌剤を配合した化粧料であってもよい。
【００３２】
実施例１、２にあげた制汗、消臭剤を配合した化粧料を収納し、塗布容器を制汗消臭剤塗布容器として用いると、塗布も容易で、保持筒上端からの液垂れを防止でき、使いやすい塗布容器となる。
【産業上の利用可能性】
【００３３】
本発明の塗布容器は、塗布ボール保持筒の溝の大きさと、数を変えることによって、内容物の種類、粘度に対応できるので、種々の内容物の塗布容器として適用できるようになった。
また、部品数が少なく、製造コストを低くすることができた。
【図面の簡単な説明】
【００３４】
【図１】本発明の塗布容器の一部断面立面図である。
【図２】中栓の説明図で、（ａ）は断面立面図、（ｂ）は上面図である。
【図３】中栓と塗布ボールの要部拡大説明図である。
【図４】塗布容器の使用時の説明図である。
【符号の説明】
【００３５】
Ａ      容器
Ｂ      中栓
Ｂ１    嵌合筒部
Ｂ２    保持部
Ｃ      塗布ボール
Ｄ      キャップ
１      口部
１０    保持筒
１１    内周面
１２    突出リング
１３    上端
１４    溝
１５    上端面
１６    連通孔
１７    液貯め部
２０    頂壁
２１    側周壁
２２    ボール押えリング
２３    垂直壁
２４    中栓押えリング
２５    ねじ
【図１】
2005186997.tif 000004
【図２】
2005186997.tif 000005
【図３】
2005186997.tif 000006
【図４】
2005186997.tif 000007